(57)【要約】  排ガスを通過させて排ガスから微粒子および有害ガスを除去する処理ユニットを、排ガスを供給し、または浄化ガスを排出する給排気口を側壁に有する処理室を構成する筐体に、取り付けることが容易な、排ガスの処理装置を提供する。  排ガスを供給または浄化ガスを排出する給排気口１を側壁に有する処理室を構成する筐体２と；筐体２内に配設され、肉厚の円筒体状を成し、中心の空洞の一端開口部が筐体２の給排気口１と連通接続して、排ガスを通過させて排ガスから微粒子および有害ガスを除去する処理ユニット３と；伸縮可能なテンション手段4であって、筐体２の側壁と処理ユニット３との間に配置されて処理ユニット３を側壁方向へ押圧するか、または、筐体２の側壁と２個の処理ユニット３・３の間に配置されて２個の処理ユニット３・３同士を相互に離すようにして、２個の処理ユニット3・3の各々を左右の側壁へ押圧するためのテンション手段４と；を備えたことを特徴とする。【選択図】図１
2009072320.tif 000002
【特許請求の範囲】
【請求項１】
排ガスを通過させて排ガスから微粒子および有害ガスを除去する処理装置であって、
排ガスを供給し、または浄化ガスを排出する給排気口を側壁に有する処理室を構成する筐体と；
この筐体内に配設され、肉厚の円筒体状を成し、中心の空洞の一端開口部が前記筐体の給排気口と連通接続して、排ガスを通過させて排ガスから微粒子および有害ガスを除去する処理ユニットと；
伸縮可能なテンション手段であって、前記筐体の側壁と前記処理ユニットとの間に配置されて処理ユニットを側壁方向へ押圧するか、または、２個の前記処理ユニットの間に配置されて２個の処理ユニット同士を相互に離すようにして、2個の処理ユニットの各々を左右の側壁へ押圧するためのテンション手段と；
を備えたことを特徴とする排ガスの処理装置。
【請求項２】
前記排ガスに含有される微粒子および有害ガスは、粉塵、臭気成分、または、粉塵と臭気成分の混合物であることを特徴とする請求項１に記載の排ガスの処理装置。
【請求項３】
前記処理ユニットは、臭気ガスに含まれる成分を吸着する複数の吸着剤粒子を通気性部材で囲んで環状に形成された吸着剤層と、この吸着剤層に同心状に内装されかつ複数の貫通孔を有する環状の吸着体と、前記吸着剤層と前記吸着体を保持する支持構造体と、を含む
ことを特徴とする請求項１または２に記載の排ガスの処理装置。
【請求項４】
前記テンション手段は、頭部に握り部を有する特殊ボルトと、前記処理ユニットの他端に他端開口部を閉鎖するようにして装着された支持板に固着されかつ前記特殊ボルトを螺合した特殊ナットと、を含むことを特徴とする請求項１または２に記載の排ガスの処理装置。
【発明の詳細な説明】
【技術分野】
【０００１】
本発明は、排ガスを通過させて排ガスから微粒子および有害ガスを除去する排ガスの処理装置に関する。
【背景技術】
【０００２】
従来、例えば、有害ガス吸着装置の一つとして、粒状活性炭素層と活性炭素繊維層を形成するとともに円筒体状を成して、排ガス中に含まれる有害ガスまたは有機溶剤を吸着処理する複合エレメントが、円筒状のタンク本体の内部に設けられた中間棚に、上下方向へ指向してこれを貫通するとともに、上部にて掛止されて取り付けられた構造のものがある。
【特許文献１】実開昭５６−３４５２３号公報
【発明の開示】
【０００３】
しかし、このように構成された従来の有害ガス吸着装置では、複合エレメントを左右方向へ指向させて取り付けたり、２個の複合エレメントを上下方向へ連ねて取り付けたりすることが非常に難しく、その結果、複合エレメントの使用状態が限定されるなどの問題があった。
【０００４】
本発明は上記の事情に鑑みてなされたもので、その目的は、排ガスを通過させて排ガスから微粒子および有害ガスを除去する処理ユニットを、排ガスを供給または浄化ガスを排出する給排気口を側壁に有する処理室を構成する筐体に、取り付けることが容易な、排ガスの処理装置を提供することにある。
【０００５】
上記の目的を達成するため本発明の排ガスの処理装置は、排ガスを通過させて排ガスから微粒子および有害ガスを除去する処理装置であって、排ガスを供給し、または浄化ガスを排出する給排気口を側壁に有する処理室を構成する筐体と；この筐体内に配設され、肉厚の円筒体状を成し、中心の空洞の一端開口部が前記筐体の給排気口と連通接続して、排ガスを通過させて排ガスから微粒子および有害ガスを除去する処理ユニットと；伸縮可能なテンション手段であって、前記筐体の側壁と前記処理ユニットとの間に配置されて処理ユニットを側壁方向へ押圧するか、または、２個の前記処理ユニットの間に配置されて２個の処理ユニット同士を相互に離すようにして、2個の処理ユニットの各々を左右の側壁へ押圧するためのテンション手段と；を備えたことを特徴とする。
【０００６】
なお、本発明における処理ユニットは、排ガスに含有される粉塵、臭気成分、または、粉塵と臭気成分の混合物を除去する機能を有するものであって、例えば、胴部に多数の通気孔を設けた有孔筒の内部に円筒状の繊維層を設けた構造を成して粉塵を除去したり、前記繊維層の外周に金網を巻装して前記有孔筒と前記繊維層との間に空所を形成し、この空所に粒状の活性炭を収容した構造を成して臭気成分あるいは粉塵と臭気成分の混合物を除去したりすることができるようになっている。
【０００７】
またなお、本発明におけるテンション手段としては、ボルト・ナットの組合せのように、適宜の手作業によって伸縮可能に構成されたものなら、どんなものでもよい。
【０００８】
またなお、本発明において処理ユニットの筐体内への取付けは、テンション手段を装着した処理ユニットを筐体内の所要位置に収納したのちテンション手段を手作業により伸長させることにより行なわれる。例えば、処理ユニットが左右方向へ指向する場合(処理ユニットの中心の空洞が図1に示す左右の側壁に向くように配置される場合)であって、この処理ユニットが１個のときには、テンション手段を伸長させて処理ユニットを筐体の側壁に押し付ける。
【０００９】
また、処理ユニットが２個のときには、テンション手段を装着した処理ユニットとテンション手段の無い処理ユニットをテンション手段を介在させるようにして、図1に示すように左右に並べて筐体内に収納したのち、テンション手段を伸長させて２個の処理ユニットを筐体の左右の側壁にそれぞれ押し付けて筐体に固定する。
【００１０】
またなお、本発明においては、処理ユニットが上下方向へ指向する場合(処理ユニットの中心の空洞が図1に示す上面と底面に向くように配置される場合、即ち、図１の装置を９０度回転させて立設した場合)であって、処理ユニットが２個のときには、テンション手段を装着した処理ユニットを上にして２個の処理ユニットを重ね合わせるとともに、２個の処理ユニットの合わせ面にシール材を介在させて２個の処理ユニットの中空室内同士を連通接続させた状態で筐体内に収納するか、または、テンション手段を装着した処理ユニットとテンション手段の無い処理ユニットとをテンション手段を介在させるようにして上下に連ねた状態で筐体内に収納し、その後、テンション手段を伸長させて２個の処理ユニットを給排気口を有する筐体の上下壁面にそれぞれ押し付けて筐体に固定する。
【００１１】
上記の説明から明らかなように本発明は、排ガスを通過させて排ガスから微粒子および有害ガスを除去する処理装置であって、排ガスを供給し、または浄化ガスを排出する給排気口を側壁に有する処理室を構成する筐体と；この筐体内に配設され、肉厚の円筒体状を成し、中心の空洞の一端開口部が前記筐体の給排気口と連通接続して、排ガスを通過させて排ガスから微粒子および有害ガスを除去する処理ユニットと；伸縮可能なテンション手段であって、前記筐体の側壁と前記処理ユニットとの間に配置されて処理ユニットを側壁方向へ押圧するか、または、２個の前記処理ユニットの間に配置されて２個の処理ユニット同士を相互に離すようにして、2個の処理ユニットの各々を左右の側壁へ押圧するためのテンション手段と；を備えているから、テンション手段を装着した処理ユニットを筐体内に収納したのちテンション手段を手作業により適宜伸長させるだけで、処理ユニットを筐体に固定させることが可能であるため、何ら制限されること無く、処理ユニットを筐体に非常に容易に取り付けることができるなどの優れた実用的効果を奏する。
【発明を実施するための最良の形態】
【００１２】
以下、本発明を適用した排ガスの処理装置の一実施例について、図面に基づき詳細に説明する。本排ガスの処理装置は、図１および図２に示すように、排ガスを供給し、または浄化ガスを排出する給排気口１を側壁に有する処理室を構成する筐体２と、この筐体２内に配設され、肉厚の円筒体状を成し、中心の空洞の一端開口部が前記筐体２の給排気口１と連通接続して、排ガスを通過させて排ガスから微粒子および有害ガスを除去する処理ユニット３と、伸縮可能なテンション手段であって、２個の前記処理ユニット３・３の間に配置されて２個の処理ユニット３・３同士を相互に離すようにして２個の処理ユニットの各々を左右の側壁へ押圧するためのテンション手段４と、で構成してある。【００１３】
そして、前記筐体２は底部にも排ガスを供給または浄化ガスを排出する給排気口１４が形成してあり、さらに、図2に示す前記筐体２の左右の側壁のいずれかには、前記処理ユニット３を入出させかつ図示しない扉によって開閉される処理ユニット３の入出用開口（図示せず）が設けてある。【００１４】
そして、図1および2に示す排ガスの処理装置では、2個Ｘ2列の処理ユニット３を配置した実施例を示している。【００１５】
また、前記処理ユニット３は、図３および図４に示すように、臭気ガスに含まれる成分を吸着する複数の吸着剤粒子を通気性部材で囲んで環状に形成された吸着剤層５と、この吸着剤層５に同心状に内装されかつ複数の貫通孔を有する環状(多角形状)の吸着体６と、前記吸着剤層５と前記吸着体６とを保持する支持構造体７とで構成してある。【００１６】
また、前記テンション手段４は、図５に示すように、頭部に握り部８を有する特殊ボルト９と、前記処理ユニット３の上端に上端開口部を閉鎖するようにして装着された支持板１０に固着されかつ前記特殊ボルト９を螺合した特殊ナット１１と、で構成してある。【００１７】
また、図１および図２に示すように、前記筐体２の下部には左右方向へ指向して(図1の左の側壁から右の側壁に向かって)、前記処理ユニット3を支持する支持手段１２が装着してあり、この支持手段１２には、２本の棒部材１３・１３が備えられており、この２本の棒部材１３・１３は前記給排気口１の下方位置に配置されると共に、給排気口１の中心線を中心(図2に示す処理ユニット３の中心に一致する)にして左右方向に対称配置されている。そして、この２本の棒部材１３・１３は図1に示す前記筐体２の左右の側壁に架設されている。このように構成したものは、図1に示すようにテンション手段４を装着した１個の処理ユニット３を、テンション手段４を左側に位置させた横向きにして筐体２内の支持手段１２の２本の棒部材１３・１３上に収納し、続いて、テンション手段４を装着しない１個の処理ユニット３を横向きにして、同様に筐体２内の支持手段１２上に収納する。次いで、テンション手段４の特殊ボルト９の握り部８を手作業により回転させて特殊ボルト９を処理ユニット３に対して伸長させて、２個の処理ユニット３・３を筐体２の左右の側壁に押し付ける。これにより、２個の処理ユニット３・３を筐体２に固定することができる。【００１８】
なお、図2に示す排ガスの処理装置では、2列の処理ユニットを配置した実施例を示しているがこれに限るものではなく、処理ユニットを1列又は3列以上の複数列にすることも可能である。
【図面の簡単な説明】
【００１９】
【図１】本発明を適用した排ガスの処理装置の一実施例の一部断面正面図である。
【図２】図１におけるＡ−Ａ矢視図である。
【図３】図１における処理ユニットの斜視図である。
【図４】図３に示す処理ユニットの横断面図である。
【図５】図１における主要部（処理ユニットおよびテンション手段）の拡大詳細図である。
【図１】
2009072320.tif 000003
【図２】
2009072320.tif 000004
【図３】
2009072320.tif 000005
【図４】
2009072320.tif 000006
【図５】
2009072320.tif 000007
【国際調査報告】
2009072320.tif 000008
2009072320.tif 000009
2009072320.tif 000010
2009072320.tif 000011